(57)【要約】【課題】インサート部材に予め逆止弁を取付けて、ブロー成形と同時に、逆止弁を取付けることが可能なインサート部材の取付構造と取付方法を提供する。【解決手段】ブロー成形品の外壁２にインサート部材２０の少なくとも一部を埋設して取付けるインサート部材２０の取付構造において、インサート部材２０は、ブロー成形品の外壁２を貫通する筒状部と、筒状部の外面に幅方向に張り出したフランジ部２３を有する。フランジ部２３は、ブロー成形品の外壁２の内面に溶着され、筒状部は、ブロー成形品の外側に張り出す外筒部２１と、ブロー成形品の内側に張り出す内筒部２２とを有する。内筒部２２の先端に逆止弁２５を有し、逆止弁２５は、ブロー成形品の外側からの圧力で開くことが可能に保持される。【選択図】図１
2016117259.tif 000002
【特許請求の範囲】
【請求項１】
ブロー成形品の外壁にインサート部材の少なくとも一部を埋設して取付けるインサート部材の取付構造において、
上記インサート部材は、上記ブロー成形品の外壁を貫通する筒状部と、該筒状部の外面に幅方向に張り出したフランジ部を有し、該フランジ部は、上記筒状部は、上記ブロー成形品の外側に張り出す外筒部と、上記ブロー成形品の内側に張り出す内筒部とを有し、上記フランジ部は、上記ブロー成形品の外壁の内面に溶着され、上記外筒部の外面は、上記ブロー成形品の外壁から一体的に形成された外筒カバー部で覆われて、
上記該内筒部の先端に逆止弁を有し、該逆止弁は、上記ブロー成形品の外側からの圧力で開くことが可能に保持されたことを特徴とするインサート部材の取付構造。
【請求項２】
上記逆止弁は、上記内筒部の先端を閉じるようにバネ部材で付勢され、上記逆止弁を保持する逆止弁保持部の先端に上記逆止弁が取付けられて、上記逆止弁保持部の他端にブローピン先端受け部が形成され、ブロー成形のブローピンの先端が上記ブローピン先端受け部を押すと上記逆止弁が開くとともに、上記筒状部に流体が入ると、流体の重量又は圧力で逆止弁が開く請求項１に記載のインサート部材の取付構造。
【請求項３】
上記フランジ部の上面にフランジ突状部が形成され、該フランジ突状部が上記ブロー成形品の外壁の内面に溶着されている請求項１又は請求項２に記載のインサート部材の取付構造。
【請求項４】
上記外筒部の先端は、上記外筒カバー部から延設された外筒カバー先端部が上記外筒部の先端の内面まで覆うように形成された請求項１乃至請求個３のいずれか一項に記載のインサート部材の取付構造。
【請求項５】
上記ブロー成形品は、自動車用燃料タンクであり、上記インサート部材は、上記自動車用燃料タンクに液体または気体を注入又は排出するチューブを燃料タンクに取付けるチューブ取付部材である請求項１乃至請求個４のいずれか一項に記載のインサート部材の取付構造。
【請求項６】
ブロー成形品の外壁にインサート部材の少なくとも一部を埋設して取付けるインサート部材の取付方法において、
上記インサート部材は、上記ブロー成形品の外壁を貫通する筒状部と、該筒状部の外面に幅方向に張り出したフランジ部を有し、上記筒状部は、上記ブロー成形品の外側に張り出す外筒部と、上記ブロー成形品の内側に張り出す内筒部とを有し、該内筒部の先端に逆止弁を有し、該逆止弁は、上記ブロー成形品の外側からの圧力で開くことが可能に取付けられて、
上記ブロー成形品を成形するブロー成形金型は、少なくとも一方の割型に上記インサート部材が嵌合されるインサート嵌合部を設け、中型に上記インサート部材を保持するインサート保持部を設け、
上記ブロー成形金型を開いて、上記中型のインサート保持部に上記インサート部材を保持させるとともに、上記割型にパリソンを当接させて、
上記インサート嵌合部に当接したパリソンに、上記中型のインサート保持部を動かし、上記インサート部材を押圧して、上記パリソンとともに上記インサート部材を上記インサート嵌合部に挿入し、上記パリソンと上記インサート部材を溶着し、
上記ブロー成形金型を閉じて、ブローピンを上記インサート部材の外筒部から挿入し、上記ブローピンの先端で上記逆止弁を開き、上記ブロー成形金型内にブローを行うことを特徴とするインサート部材の取付方法。
【請求項７】
上記逆止弁は、上記内筒部の先端を閉じるようにバネ部材で付勢され、上記逆止弁を保持する逆止弁保持部の先端に上記逆止弁が取付けられて、上記逆止弁保持部の他端にブローピン先端受け部が形成され、上記ブロー成形金型を閉じて、ブローピンを上記インサート部材の外筒部から挿入し、上記ブローピンの先端で上記ブローピン先端受け部を押して、上記逆止弁を開き、上記ブロー成形金型内に行うブローは、上記逆止弁から空気を吹き込み、上記パリソンを上記ブロー成形金型に押圧した後、上記パリソンを冷却するため、空気の吹き込みと排出を行う請求項６に記載のインサート部材の取付方法。
【請求項８】
上記インサート嵌合部は、スライド機構を有し、上記インサート部材が上記インサート嵌合部に挿入されるときは、上記スライド機構により、上記インサート嵌合部の内径を広げ、上記インサート部材が上記インサート嵌合部に挿入された後は、上記スライド機構により上記インサート嵌合部の内径を狭めて、上記インサート部材を挟持する請求項６又は請求項７に記載のインサート部材の取付方法。
【発明の詳細な説明】
【技術分野】
【０００１】
本発明は、ブロー成形品の外壁にインサート部材の少なくとも一部を埋設して取付けるインサート部材の取付構造及び取付方法に関する。特に、ブロー成形により成形される自動車用燃料タンクに取付けるインサート部材に使用することができる。
【背景技術】
【０００２】
自動車用燃料タンクには、燃料タンク内に燃料を注入するフィラーチューブが燃料タンクに取付けられている。
このような燃料タンクは、従来、金属製のものが用いられていたが、近年車両の軽量化や、錆が発生しないこと、所望の形状に成形しやすいことなどによって熱可塑性樹脂製のものも用いられるようになってきた。
【０００３】
そして、その製造が容易なため、ブロー成形により製造されたブロー成形品である燃料タンク１が使用されている。このような熱可塑性樹脂製のブロー成形品である燃料タンク１においても、図５に示すように、各種のホースやケーブルとともに、燃料タンク１０１に液体又は気体を注入又は排出するための各種のチューブやパイプを取付けるためのチューブ取付部材１２０が、燃料タンク１０１の外壁１０２に取付けられている。
【０００４】
例えば、図１２に示すように、ブロー成形により製造されたブロー成形品である熱可塑性合成樹脂製の燃料タンク１０１のタンク外壁１０２にチューブ取付部材１２０が溶着されている（例えば、特許文献１参照。）。このチューブ取付部材１２０は、溶着座１２３を設けてタンク外壁１０２に溶着座１２３を溶着している。
【０００５】
このような構造においては、溶着座１２３の溶着面がフラットな形状であるため、チューブ取付部材１２０の溶着面を高温に予熱しないと、充分な溶着ができない。しかしながら、この予熱によりチューブ取付部材１２０の剛性が低下して、変形する場合がある。
【０００６】
そのため、図１３に示すような、ブロー成形品の外壁２０２を貫通して、ブロー成形品の外側に位置する外筒部２２１と、ブロー成形品の内側に位置する内筒部２２２と、外筒部２２１と内筒部２２２の境界部分から外面に幅方向に張り出したフランジ部２２３を有して、内筒部２２２とフランジ部２２３を燃料タンク１０１のタンク外壁１０２に溶着した（例えば、特許文献２及び３参照。）。
【０００７】
しかしながら、この場合には、図１４に示すように、チューブ取付部材２２０をブロー成形金型２３０のインサート保持部２３１に取付けて、パリソン２５０の外側からチューブ取付部材２２０を挿入している。このため、チューブ取付部材２２０のタンク内筒部２２の先端にパリソン５０が位置することとなる。
【０００８】
一方、図１５に示すように、ブローを行うときは、ブロー成形金型２３０のからチューブ取付部材２２０の内部を貫通して、ブローピン２４０を挿入して、パリソン２５０を突き破り、穴明けを行っている。また、ブロー成形品の内部から流体が逆流しないように逆止弁を取付ける必要がある場合がる。このため、チューブ取付部材２２０に成形時に逆止弁を取付けることができない。チューブ取付部材２２０の先端に逆止弁を取付けるには、ブロー成形後に後工程で取付けることとなり、手間がかかっている。
【先行技術文献】
【特許文献】
【０００９】
【特許文献１】特開２００３−２３６９２０号公報
【特許文献２】特開２０１４−４３０６４号公報
【特許文献３】特開２０１４−４６６７６号公報
【発明の概要】
【発明が解決しようとする課題】
【００１０】
そこで本発明は、インサート部材に予め逆止弁を取付けて、ブロー成形と同時に、逆止弁を取付けることが可能なインサート部材の取付構造と取付方法を提供しようとするものである。
【課題を解決するための手段】
【００１１】
上記課題を解決するために請求項１の本発明は、ブロー成形品の外壁にインサート部材の少なくとも一部を埋設して取付けるインサート部材の取付構造において、
インサート部材は、ブロー成形品の外壁を貫通する筒状部と、筒状部の外面に幅方向に張り出したフランジ部を有し、フランジ部は、ブロー成形品の外壁の内面に溶着され、筒状部は、ブロー成形品の外側に張り出す外筒部と、ブロー成形品の内側に張り出す内筒部とを有し、フランジ部は、ブロー成形品の外壁の内面に溶着され、外筒部の外面は、ブロー成形品の外壁から一体的に形成された外筒カバー部で覆われて、
内筒部の先端に逆止弁を有し、逆止弁は、ブロー成形品の外側からの圧力で開くことが可能に保持されたことを特徴とするインサート部材の取付構造である。
【００１２】
請求項１の本発明では、ブロー成形品の外壁にインサート部材の少なくとも一部を埋設して取付けるインサート部材の取付構造において、インサート部材は、ブロー成形品の外壁を貫通する筒状部と、筒状部の外面に幅方向に張り出したフランジ部を有する。このため、フランジ部をブロー成形品の外壁に溶着することにより、筒状部をブロー成形品に取付けて、ブロー成形品の開口とすることができる。この開口を通じて、液体や気体をブロー成形品内部へ注入することや、内部から排出することができる。
【００１３】
筒状部は、ブロー成形品の外側に張り出す外筒部と、ブロー成形品の内側に張り出す内筒部とを有するため、外筒部にパイプ等を取付けてブロー成形品内に燃料等の液体を注入することができ、内筒部に逆止弁等を取付けることができる。
フランジ部は、ブロー成形品の外壁の内面に溶着され、外筒部の外面は、ブロー成形品の外壁から一体的に形成された外筒カバー部で覆われる。このため、インサート部材が外筒カバー部で強固に固定され、ブロー成形品の外壁に強固に取り付けられ、インサート部材とブロー成形品の外壁の間のシール性を確保することができる。パリソンを外筒部とフランジ部の側外面に当接させて、インサート部材をブロー成形品の外壁の内面に取付けて、インサート部材を強固に安定して取付けることができる。
【００１４】
内筒部の先端に逆止弁を有し、逆止弁は、ブロー成形品の外側からの圧力で開くことが可能に保持される。このために、ブロー成形品を形成するときに、逆止弁から空気を吹き込み、ブロー成形するとともに、ブロー成形品の内部を冷却することができる。また、成形後は、ブロー成形品の内部に燃料等の液体を注入することができ、液体の逆流を防止できる。また、内筒部の先端に逆止弁があるため、ブロー成形時にパリソンが逆止弁と当接することがなく、ブロー成形と同時に逆止弁を取付けることができる。
【００１５】
請求項２の本発明は、逆止弁は、内筒部の先端を閉じるようにバネ部材で付勢され、逆止弁を保持する逆止弁保持部の先端に逆止弁が取付けられて、逆止弁保持部の他端にブローピン先端受け部が形成され、ブロー成形のブローピンの先端がブローピン先端受け部を押すと逆止弁が開くとともに、筒状部に流体が入ると、流体の重量又は圧力で逆止弁が開くインサート部材の取付構造である。
【００１６】
請求項２の本発明では、逆止弁は、内筒部の先端を閉じるようにバネ部材で付勢され、逆止弁を保持する逆止弁保持部の先端に逆止弁が取付けられるこのため、内筒部の先端は、逆止弁保持部をバネ部材で付勢して、逆止弁保持部に取付けられた逆止弁により常時閉じられることができる。
【００１７】
逆止弁保持部の他端にブローピン先端受け部が形成され、ブロー成形のブローピンの先端がブローピン先端受け部を押すと逆止弁が開くとともに、筒状部に流体が入ると、流体の重量又は圧力で逆止弁が開く。このため、ブロー成形品をブロー成形時に、ブローピンの先端がブローピン先端受け部を押すと逆止弁が開き、空気をブロー成形金型のキャビティー内に吹き込むことができるとともに、ブロー成形品の使用時には、インサート部材内に流体を注入して、逆止弁を開くことができ、ブロー成形品内に流体を注入することができる。
【００１８】
請求項３の本発明は、フランジ部の上面にフランジ突状部が形成され、フランジ突状部がブロー成形品の外壁の内面に溶着されているインサート部材の取付構造である。
【００１９】
請求項３の本発明では、フランジ部の上面にフランジ突状部が形成され、フランジ突状部がブロー成形品の外壁の内面に溶着されている。フランジ突状部は、溶融状態にあるパリソンと当接すると、フランジ突状部がパリソンにより集中的に加熱されて、パリソンの内部に食い込んで、パリソンと溶着するため、フランジ部をブロー成形品の外壁の内面に強固に溶着することができる。また、フランジ部とブロー成形品の外壁の内面の間のシール性も確保することができる。また、インサート部材を予熱することなく、パリソンとフランジ部を融着することができ、生産効率を向上させることができる。
【００２０】
請求項４の本発明は、外筒部の外面は、ブロー成形品の外壁から一体的に形成された外筒カバー部で覆われて、外筒部の先端は、外筒カバー部から延設された外筒カバー先端部が外筒部の先端の内面まで覆うように形成されたインサート部材の取付構造である。
【００２１】
請求項４の本発明では、外筒部の先端は、外筒カバー部から延設された外筒カバー先端部が外筒部の先端の内面まで覆うように形成されたため、外筒カバー部と一体的に、外筒カバー先端部が外筒部の先端を包んで、強固に保持するとともに、外筒部の先端の剛性を向上させることができる。
【００２２】
請求項５の本発明は、ブロー成形品は、自動車用燃料タンクであり、インサート部材は、自動車用燃料タンクに液体または気体を注入又は排出するチューブを燃料タンクに取付けるチューブ取付部材であるインサート部材の取付構造である。
【００２３】
請求項５の本発明では、ブロー成形品は、自動車用燃料タンクであり、インサート部材は、自動車用燃料タンクに液体または気体を注入又は排出するチューブを燃料タンクに取付けるチューブ取付部材である。このため、チューブ取付部材の強度が向上して、チューブが確実に保持されるとともに、自動車用燃料タンクとチューブ取付部材との間のシール性が向上して、燃料や燃料蒸気の漏れを防止することができる。
【００２４】
請求項６の本発明は、ブロー成形品の外壁にインサート部材の少なくとも一部を埋設して取付けるインサート部材の取付方法において、
インサート部材は、ブロー成形品の外壁を貫通する筒状部と、筒状部の外面に幅方向に張り出したフランジ部を有し、筒状部は、ブロー成形品の外側に張り出す外筒部と、ブロー成形品の内側に張り出す内筒部とを有し、内筒部の先端に逆止弁を有し、逆止弁は、ブロー成形品の外側からの圧力で開くことが可能に取付けられて、
ブロー成形品を成形するブロー成形金型は、少なくとも一方の割型にインサート部材が嵌合されるインサート嵌合部を設け、中型にインサート部材を保持するインサート保持部を設け、
ブロー成形金型を開いて、中型のインサート保持部にインサート部材を保持させるとともに、割型にパリソンを当接させて、
インサート嵌合部に当接したパリソンに、中型のインサート保持部を動かし、インサート部材を押圧して、パリソンとともにインサート部材をインサート嵌合部に挿入し、パリソンとインサート部材を溶着し、
ブロー成形金型を閉じて、ブローピンをインサート部材の外筒部から挿入し、ブローピンの先端で逆止弁を開き、ブロー成形金型内にブローを行うことを特徴とするインサート部材の取付方法である。
【００２５】
請求項６の本発明では、ブロー成形品の外壁にインサート部材の少なくとも一部を埋設して取付けるインサート部材の取付方法において、インサート部材は、ブロー成形品の外壁を貫通する筒状部と、筒状部の外面に幅方向に張り出したフランジ部を有する。このため、フランジ部をブロー成形品の外壁に溶着することにより、筒状部をブロー成形品に取付けて、ブロー成形品の開口とすることができる。この開口を通じて、液体や気体をブロー成形品内部へ注入することや、内部から排出することができる。
【００２６】
筒状部は、ブロー成形品の外側に張り出す外筒部と、ブロー成形品の内側に張り出す内筒部とを有するため、外筒部にパイプ等を取付けてブロー成形品内に燃料等の液体を注入することができ、内筒部に逆止弁等を取付けることができる。
【００２７】
内筒部の先端に逆止弁を有し、逆止弁は、ブロー成形品の外側からの圧力で開くことが可能に保持される。このために、ブロー成形品を形成するときに、逆止弁から空気を吹き込み、ブロー成形するとともに、ブロー成形品の内部を冷却することができる。また、成形後は、ブロー成形品の内部に燃料等の液体を注入することができるとともに、液体の逆流を防止できる。
【００２８】
ブロー成形品を成形するブロー成形金型は、少なくとも一方の割型にインサート部材が嵌合されるインサート嵌合部を設け、中型にインサート部材を保持するインサート保持部を設ける。このため、中型にインサート部材を保持して、ブロー成形時にインサート部材をインサート部材嵌合部に挿入して、ブロー成形品の内部にインサート部材を取付けることができる。
【００２９】
ブロー成形金型を開いて、中型のインサート保持部にインサート部材を保持させるとともに、割型にパリソンを当接させる。このため、割型のキャビティー面にパリソンを当接させて、パリソンの内面側に中型のインサート保持部に取付けられたインサート部材を配置することができる。
【００３０】
インサート嵌合部に当接したパリソンに、中型のインサート保持部を動かし、インサート部材を押圧して、パリソンとともにインサート部材をインサート嵌合部に挿入し、パリソンとインサート部材を溶着する。このため、パリソンの内面にインサート部材を取付けて、ブロー成形時にインサート嵌合部でパリソンとともにインサート部材を保持して、パリソンをインサート部材のフランジ部と外筒部に押圧して、パリソンの内面にインサート部材を溶着して、ブロー成形することができる。
【００３１】
ブロー成形金型を閉じて、ブローピンをインサート部材の外筒部から挿入し、ブローピンの先端で逆止弁を開き、ブロー成形金型内にブローを行う。このため、逆止弁を有するインサート部材をブロー成形と同時に取付けるとともに、インサート部材の外筒部からブローピンを挿入し、逆止弁を開いて、ブロー成形金型内に空気を吹き込むことができる。
【００３２】
請求項７の本発明は、逆止弁は、内筒部の先端を閉じるようにバネ部材で付勢され、逆止弁を保持する逆止弁保持部の先端に逆止弁が取付けられて、逆止弁保持部の他端にブローピン先端受け部が形成され、ブロー成形金型を閉じて、ブローピンをインサート部材の外筒部から挿入し、ブローピンの先端でブローピン先端受け部を押して、逆止弁を開き、ブロー成形金型内に行うブローは、逆止弁から空気を吹き込み、パリソンをブロー成形金型に押圧した後、パリソンを冷却するため、空気の吹き込みと排出を行うインサート部材の取付方法である。
【００３３】
請求項７の本発明では、逆止弁は、内筒部の先端を閉じるようにバネ部材で付勢され、逆止弁を保持する逆止弁保持部の先端に逆止弁が取付けられて、逆止弁保持部の他端にブローピン先端受け部が形成され、ブロー成形金型を閉じて、ブローピンをインサート部材の外筒部から挿入し、ブローピンの先端でブローピン先端受け部を押して、逆止弁を開き、ブロー成形金型内に行うブローは、逆止弁から空気を吹き込み、パリソンをブロー成形金型に押圧した後、パリソンを冷却するため、空気の吹き込みと排出を行う。このため、ブロー成形時にブローピンの先端をインサート部材に挿入して、ブローピン先端受け部を押して、逆止弁を開き、空気を吹き込みパリソンをブロー成形金型に押圧するとともに、更に、ブローピンから空気を吹き込みブロー成形品の冷却も行うことができ、生産効率を向上させることができる。
【００３４】
請求項８の本発明は、インサート嵌合部は、スライド機構を有し、インサート部材がインサート嵌合部に挿入されるときは、スライド機構により、インサート嵌合部の内径を広げ、インサート部材がインサート嵌合部に挿入された後は、スライド機構によりインサート嵌合部の内径を狭めて、インサート部材を挟持するインサート部材の取付方法である。
【００３５】
請求項８の本発明では、インサート嵌合部は、スライド機構を有し、インサート部材がインサート嵌合部に挿入されるときは、スライド機構により、インサート嵌合部の内径を広げるため、中型の移動により、インサート部材をパリソンとともに容易にインサート嵌合部に挿入することができる。
【００３６】
インサート部材がインサート嵌合部に挿入された後は、スライド機構によりインサート嵌合部の内径を狭めて、インサート部材を挟持するため、インサート嵌合部に挿入されたインサート部材とパリソンをインサート嵌合部が挟持するため、ブロー成形中は、インサート部材をブロー成形金型に保持して、パリソンをインサート部材に押圧して、パリソンとインサート部材を強固に溶着することができる。
【発明の効果】
【００３７】
フランジ部は、ブロー成形品の外壁の内面に溶着されるため、インサート部材をブロー成形品の外壁の内面に取付けて、インサート部材を強固に安定して取付けることができる。
内筒部の先端に逆止弁を有し、逆止弁は、ブロー成形品の外側からの圧力で開くことが可能に保持されるために、ブロー成形品を形成するときに、逆止弁から空気を吹き込み、ブロー成形するとともに、ブロー成形品の内部を冷却することができる。
【図面の簡単な説明】
【００３８】
【図１】本発明の実施の形態を示すもので、燃料タンクのチューブ取付部材を取付ける部分の断面図である。
【図２】本発明の実施の形態を示すもので、チューブ取付部材の斜視図である。
【図３】本発明の実施の形態を示すもので、チューブ取付部材のタンク内筒部の断面図であり、図２のＡ−Ａ線に沿った断面図である。
【図４】本発明の実施の形態を示すもので、チューブ取付部材のタンク内筒部の逆止弁支持部の断面図であり、図３のＢ−Ｂ線に沿った断面図である。
【図５】燃料タンクの断面図である。
【図６】本発明の燃料タンクにチューブ取付部材を取付ける工程を示すもので、ブロー成形金型のチューブ取付部材保持部にパリソンを当接させ、チューブ取付部材を接近させた状態のブロー成形金型の一部断面図である。
【図７】本発明の燃料タンクにチューブ取付部材を取付ける工程を示すもので、ブロー成形金型のチューブ取付部材保持部にパリソンとチューブ取付部材を保持させ、ブローピンを接近させた状態のブロー成形金型の一部断面図である。
【図８】本発明の燃料タンクにチューブ取付部材を取付ける工程を示すもので、ブロー成形金型のチューブ取付部材保持部にパリソンとチューブ取付部材を保持させ、ブローピンの先端でブローピン先端受け部を押して、逆止弁を開いた状態のブロー成形金型の一部断面図である。
【図９】本発明の燃料タンクにチューブ取付部材を取付ける工程を示すもので、ブロー成形金型のチューブ取付部材保持部にパリソンとチューブ取付部材を保持させ、ブロー成形が終了した状態のブロー成形金型の一部断面図である。
【図１０】本発明に使用するブローピンの先端部の底面図である。
【図１１】本発明に使用するブローピンの先端部の側面図である。
【図１２】従来の燃料タンクのチューブ取付部材の取付部分の断面図である。
【図１３】従来の他の燃料タンクのチューブ取付部材の取付け部分の断面図である。
【図１４】従来の他の燃料タンクにチューブ取付部材を取付ける工程を示すもので、ブロー成形金型のチューブ取付部材保持部にチューブ取付部材を保持させ、パリソンをチューブ取付部材の先端に当接させ、ブローピンをチューブ取付部材に接近させた状態のブロー成形金型の一部断面図である。
【図１５】従来の他の燃料タンクにチューブ取付部材を取付ける工程を示すもので、ブロー成形金型のチューブ取付部材保持部にチューブ取付部材を保持させ、パリソンをチューブ取付部材の先端に当接させ、ブローピンをチューブ取付部材に挿入し、パリソンを突き破った状態のブロー成形金型の一部断面図である。
【発明を実施するための形態】
【００３９】
本発明を、ブロー成形品である燃料タンク１のタンク外壁２にインサート部材であるチューブ取付部材２０を取付けた取付構造を例にとり説明するが、燃料タンク１以外の他のブロー成形品にインサート部材を取付ける場合にも広く実施することができる。
本発明の実施の形態を図１〜図１１に基づき説明する。
【００４０】
まず、本発明の実施の形態に使用するインサート部材であるチューブ取付部材２０の取付構造について図１〜図３及び図５に基づき説明する。
図５は本発明の実施の形態のチューブ取付部材２０の取付構造が使用される燃料タンク１の断面図である。図１は、本発明の実施の形態のインサート部材であるチューブ取付部材２０をブロー成形品である燃料タンク１のタンク外壁２に取付けた取付構造の断面図である。
【００４１】
図５に示すように、燃料タンク１は、ブロー成形で形成され、タンク外壁２は一体に形成されている。タンク外壁２は、熱可塑性合成樹脂の１層で形成することもできるし、熱可塑性合成樹脂の複数の層を有するように形成することもできる。
複数の層で形成された場合は、剛性を有する層と、燃料透過性の低い層を組み合わせて形成することができる。
【００４２】
複数の層で形成された場合は、例えば、中央の層がエチレンビニルアルコール共重合体（ＥＶＯＨ）又はナイロンで形成された燃料透過を防止するバリヤー層と、そのバリヤー層の上下に変性ポリエチレンから形成される接着層と、その接着層のそれぞれの外面に高密度ポリエチレン（ＨＤＰＥ）から形成される外層から構成される。
【００４３】
タンク外壁２の上部には、図１と図５に示すチューブ取付部材２０と、チューブ取付部材２０を取付けるタンク取付部１０が形成されている。チューブ取付部材２０は、燃料タンク１内に燃料を注入するフィラーチューブや、燃料タンク１から燃料をエンジンに供給する燃料パイプを取付けるものである。
【００４４】
また、タンク外壁２の上部には、ブリーザポート取付部７も形成されている。ブリーザポート取付部７は、燃料給油時に燃料タンク１内のガスをタンク外に逃がすためブリーザホース（図示せず）を取付けるものである。また、８は燃料タンク１から車輌転倒時の燃料漏れを防ぐカットオフバルブである。
なお、タンク外壁２の上面には、燃料移送用ホース等の各種のホースを保持するホースクランプを設けてもよい。これらのブリーザポート取付部７やホースクランプ等のパイプやホースの取付部材もチューブ取付部材２０と同様に本発明を使用することができる。
【００４５】
タンク外壁２の上面には、さらに開口部６が形成され、開口部６からタンク外壁２の下部の内面にサブタンク５が取付けられる。開口部６は、蓋体６０で塞がれて、蓋体６０はロックプレート５１で開口部６に周囲を螺着される。開口部６と蓋体６０の間にはシールリング５２が取付けられて、開口部６と蓋体６０の間がシールされる。
【００４６】
そして、サブタンク５内に燃料ポンプユニット４が取付けられている。サブタンク５は、車両が傾いたり振動したりしたときに、燃料タンク１内の燃料を燃料ポンプユニット４が確実にエンジンに送り出すことができるように設けられている。燃料ポンプユニット４は蓋体６０に取付けられて、修理やメンテナンスが行われる。燃料ポンプユニット４からパイプが延びて、タンク外壁２の上部の蓋体６０にフューエルメインポート取付部９が接続している。フューエルメインポート取付部９にはエンジンに燃料を送る燃料パイプ（図示せず）が取付けられている。
【００４７】
図１に示すように、燃料タンク１のタンク外壁２の上部に、タンク取付部１０が形成されている。タンク取付部１０は、タンク外壁２から一体的に連続して形成され、後述するチューブ取付部材２０を取付ける燃料タンク１のタンク外壁２に、燃料タンク１をブロー成形するときに形成されている。
【００４８】
タンク取付部１０は、後述するように、ブロー成形のパリソン５０が硬化して、後述するチューブ取付部材２０のタンク外筒部２１と溶着した外筒カバー部１２と、タンク外筒部２１の先端に溶着した外筒カバー先端部１３と、フランジ部２３の外側面に溶着したフランジカバー部１４を有する。
【００４９】
次に、図１〜図３に基づき、本発明の実施の形態において使用するインサート部材であるチューブ取付部材２０について説明する。
チューブ取付部材２０は、燃料タンク１とは別に射出成形により成形される。その材料は、耐燃料油性の熱可塑性合成樹脂が使用され、例えばポリエチレン、ポリプロピレン、ポリアセタール、ポリアミド等の合成樹脂を使用することができるが、ブロー成形のパリソン５０と溶融可能な材料が使用される。
【００５０】
インサート部材であるチューブ取付部材２０は、燃料タンク１のタンク外壁２を貫通する筒状部と、筒状部の外面に幅方向に張り出したフランジ部２３を有する。筒状部は、タンク外壁２の外側に突出するタンク外筒部２１と、タンク外壁２の内側に突出するタンク内筒部２２から構成される。
【００５１】
タンク外筒部２１の先端には、円周状に外側が張り出して形成されたタンク外筒先端部２１ａが形成されている。タンク外筒先端部２１ａは、パリソン５０に覆われているが、パリソン５０が外側に膨らむため、タンク外筒部２１にチューブを挿入するときに、チューブの先端がタンク外筒部２１から外れないように突条となり、チューブを保持することができる。
【００５２】
前述のように、タンク外筒部２１の外面には、ブロー成形時に、タンク外壁２を形成するパリソン５０が融着し、硬化後は、外筒カバー部１２を構成する。このため、チューブ取付部材２０は、フランジ部２３のみならず、タンク外筒部２１もパリソン５０が融着しているため、チューブ取付部材２０の保持強度が大きくなり、タンク外筒部２１に、抜き荷重や外部から曲げ及び回転方向等の荷重が加わっても、チューブ取付部材２０を確実に保持することができる。
【００５３】
タンク外筒部２１の先端のタンク外筒先端部２１ａは、外筒カバー部１２から延設された外筒カバー先端部１３が、タンク外筒先端部２１ａの内面まで回り込んで覆うように形成されている。このため、外筒カバー先端部１３がタンク外筒先端部２１ａを包んで、強固に保持するとともに、タンク外筒先端部２１ａの剛性を向上させることができる。
【００５４】
図３に示すように、タンク内筒部２２は、タンク内筒部２２の先端を開閉する逆止弁２５を有している。逆止弁２５は、板状に形成されるとともに、タンク内筒部２２の先端の形状に合わせて、先端よりも若干大きく形成され、タンク内筒部２２の先端を塞ぐように当接している。
【００５５】
逆止弁２５は、中心を棒状の逆止弁保持部２７で保持されている。図３と図４に示すように、逆止弁保持部２７は、タンク内筒部２２に十文字状に形成された逆止弁取付部２８で保持されている。逆止弁取付部２８は、十文字状に形成されているため、タンク内筒部２２内を流体が通過することができ、燃料タンク１内にブロー成形のための空気や、燃料を注入する妨げにはならない。
【００５６】
図３と図４に示すように、逆止弁保持部２７のタンク外筒部２１側の先端にブローピン先端受け部２６が形成されている。ブローピン先端受け部２６は、後述するブローピン４０のブローピン先端部４１が当接することができる大きさに形成されている。
ブロー成形時にブローピン先端部４１がブローピン先端受け部２６を押すと逆止弁２５が開くことができる。
【００５７】
図３に示すように、逆止弁保持部２７にはバネ部材としてコイルスプリング２７ａが挿入されている。コイルスプリング２７ａは、ブローピン先端受け部２６と逆止弁取付部２８の間に保持されて、逆止弁２５がタンク内筒部２２の先端を閉じるように付勢している。このため、タンク内筒部２２の先端は、逆止弁保持部２７に取付けられた逆止弁２５により常時閉じられることができる。ブローピン先端部４１がブローピン先端受け部２６を押すと逆止弁２５が開くことができる。また、チューブ取付部材２０に燃料等の流体が入ると、流体の重量又は圧力で逆止弁２５が開くこともできる。
【００５８】
フランジ部２３は、タンク外筒部２１とタンク内筒部２２との境界部分の外周に円盤状に張り出して形成されている。
本発明の実施の形態では、フランジ部２３の外面側に、円弧上のフランジ突条部２４を形成する。そのため、ブロー成形時に、フランジ部２３の外面側のフランジ突条部２４がパリソン５０と接触して、フランジ突条部２４がパリソン５０の内部に進入するとともに、フランジ突条部２４の先端がパリソン５０の熱で溶融して、フランジ突条部２４とパリソン５０が融着する。
本実施の形態では、フランジ突条部２４の大きさは、幅が１〜２ｍｍ程度、高さが２〜３ｍｍ程度であるが、その大きさは、適宜変えることができる。
【００５９】
さらに、パリソン５０が硬化した後は、タンク取付部１０の部分において、フランジ部２３の外面側をフランジカバー部１４が覆うことができ、フランジ部２３を燃料タンク１のタンク外壁２の内側に溶着して、タンク外壁２のタンク取付部１０でフランジ部２３の全体を保持するため、さらにフランジ部２３を強固に保持することができる。フランジカバー部１４と外筒カバー部１３は、連続して一体となりチューブ取付部材２０を覆っている。従って、タンク外筒部２１に外部から抜き、曲げ及び回転方向等の荷重が加わっても、チューブ取付部材２０を確実に保持することができる。
なお、フランジ突条部２４は、複数本形成することができる。
【００６０】
次に、図６〜図１１に基づき、インサート部材であるチューブ取付部材２０をブロー成形品である燃料タンク１のタンク外壁２に取付ける方法について説明する。
タンク外壁２にチューブ取付部材２０を取付けるには、燃料タンク１を成形するブロー成形金型３０を使用して、燃料タンク１のブロー成形と同時に取付ける。
【００６１】
図６に示すように、ブロー成形金型３０は、パーティングラインで少なくとも２つに分割される割型３０ａと、割型３０ａの内面に形成されパリソン５０が当接するキャビティー３１と、少なくとも一方の割型３０ａにキャビティー３１と連通しチューブ取付部材２０のタンク外筒部２１を嵌め込むインサート嵌合部であるチューブ取付部材嵌合部３２が形成されている。チューブ取付部材嵌合部３２は、スライド機構が設けられており、図６の矢印が示す方向にスライドして、チューブ取付部材嵌合部３２の内径を広げたり、狭めたりすることができる。
【００６２】
さらに、割型３０ａと割型３０ａの間に中型３３を設け、中型３３には、ブロー成形前にインサート部材であるチューブ取付部材２０を保持することができるインサート保持部であるチューブ取付部材保持部３４が形成されている。中型３３は、チューブ取付部材２０を保持したまま、チューブ取付部材嵌合部３２にスライドして、チューブ取付部材２０をチューブ取付部材嵌合部３２に挿入することができる。
【００６３】
チューブ取付部材２０をタンク外壁２に取付けるためには、まず、ブロー成形金型３０を開いて、チューブ取付部材２０をブロー成形金型３０の中型３３のチューブ取付部材保持部３４に取付ける。そうすると、図６に示すように、チューブ取付部材２０のタンク外筒部２１は、割型３０ａのチューブ取付部材嵌合部３２と対向することができる。
【００６４】
次に、図６に示すように、ブロー成形金型３０内に燃料タンク１のタンク外壁２を形成するパリソン５０が導入される。このとき、パリソン５０は、キャビティー３１には当接するが、チューブ取付部材嵌合部３２の内部には入り込んでいない。また、パリソン５０はチューブ取付部材２０とも接触していない。
【００６５】
そのとき、チューブ取付部材嵌合部３２は、図６の矢印が示す方向口にスライドする。チューブ取付部材２０がチューブ取付部材嵌合部３２に挿入されると、スライド機構により、チューブ取付部材嵌合部３２を開くため、中型３３が移動してチューブ取付部材２０をチューブ取付部材嵌合部３２に挿入するときはチューブ取付部材嵌合部３２が広がり、チューブ取付部材２０をパリソン５０とともに容易にチューブ取付部材嵌合部３２に挿入することができる。
【００６６】
その後、図７に示すように、中型３３をスライドさせて、チューブ取付部材２０をパリソン５０に押し当てて、パリソン５０とともにチューブ取付部材嵌合部３２の内部にチューブ取付部材２０のタンク外筒部２１を挿入させる。更に、チューブ取付部材２０のフランジ部２３もパリソン５０に押圧する。
【００６７】
チューブ取付部材２０をチューブ取付部材嵌合部３２に挿入された後は、スライド機構により図７の矢印が示す方向にスライドして、チューブ取付部材嵌合部３２を閉じて、チューブ取付部材２０を挟持する。チューブ取付部材嵌合部３２に挿入されたチューブ取付部材２０とパリソン５０をチューブ取付部材嵌合部３２が挟持するため、ブロー成形中は、チューブ取付部材２０をブロー成形金型３０のチューブ取付部材嵌合部３２に保持して、パリソン５０とチューブ取付部材２０を強固に溶着することができる。
【００６８】
このとき、チューブ取付部材２０のフランジ部２３の上面にフランジ突条部２４が形成されており、フランジ突条部２４がパリソン５０と溶着する。フランジ突条部２４は、溶融状態にあるパリソン５０と当接すると、フランジ突条部２４がパリソン５０により集中的に加熱されて、パリソン５０の内部に食い込んで、パリソン５０と溶着するため、フランジ部２３を燃料タンク１のタンク外壁２の内面に確実に強固に溶着することができる。
【００６９】
このため、フランジ部２３と燃料タンク１のタンク外壁２の内面の間のシール性も確保することができる。また、チューブ取付部材２０を予熱することなく、パリソン５０とフランジ部２３を融着することができ、生産効率を向上させることができる。
フランジ部２３の上面のフランジ突条部２４以外の面も、パリソン５０と当接して溶着することができる。
このようにして、パリソン５０は、燃料タンク１のタンク外壁２となるため、フランジ部２３は、タンク外壁２の内面に溶着される。
【００７０】
次に、図８に示すように、チューブ取付部材嵌合部３２がチューブ取付部材２０を保持したまま、ブローピン４０がチューブ取付部材嵌合部３２に進入し、更にチューブ取付部材２０の内部まで進入して、ブローピン先端部４１がブローピン先端受け部２６に当接して、下方に押す。
【００７１】
ブローピン４０のブローピン先端部４１は、図１０と図１１に示すように、複数のブローピン先端孔４２が形成されて、空気を吹き込むことができる。これにより、チューブ取付部材２０の逆止弁２５が開き、ブローピン４０のブローピン先端孔４２からキャビティー３１内に空気を吹き込み、パリソン５０をキャビティー３１に密着させブロー成形を行う。
【００７２】
パリソン５０をキャビティー３１に密着させた後も、更に、ブローピン先端孔４２から空気を吹き込むとともに、吹き込んだ空気をブローピン先端孔４２から排出して、パリソン５０を冷却することができる。これにより、冷却効率を上げて、ブロー成形工程の時間を短縮することができる。
【００７３】
ブローピン４０の外径とタンク外筒部２１の内径は、２〜３ｍｍ程度の隙間があり、ブローピン４０がチューブ取付部材２０の内部まで進入したときに、チューブ取付部材２０のタンク外筒部２１の先端を覆うようにパリソン５０の膜が形成されているが、ブローピン先端部４１は、そのパリソン５０の膜を突き破り侵入し、パリソン５０の膜は、タンク外筒部２１の先端の内面に折り曲げられて、タンク外筒先端部２１ａ内面を覆うように先端部分に溶着される。
【００７４】
次に、図９に示すように、ブローピン４０をチューブ取付部材２０とチューブ取付部材嵌合部３２から抜出して、ブロー成形金型３０の割型３０ａを開いた後に、チューブ取付部材嵌合部３２を図９の矢印が示す方向にスライドさせて開き、ブロー成形品である燃料タンク１を取出す。タンク外壁２の内面には、チューブ取付部材２０が取付けられている。
【００７５】
このようにして、タンク外筒部２１の外面は、パリソン５０から形成されたタンク外壁２から一体的に形成された外筒カバー部１２で覆われているため、チューブ取付部材２０が外筒カバー部１２で強固に固定され、タンク外壁２に強固に取り付けられ、チューブ取付部材２０とタンク外壁２の間のシール性を確保することができる。
【００７６】
タンク外壁２の先端は、外筒カバー部１２から延設された外筒カバー先端部１３がタンク外壁２の先端の内面まで覆うように形成されたため、外筒カバー先端部１３がタンク外壁２の先端を包んで、強固に保持するとともに、タンク外壁２の先端の剛性を向上させることができる。
【符号の説明】
【００７７】
１  燃料タンク（ブロー成形品）
２  タンク外壁
１０  タンク取付部
２０  チューブ取付部材（インサート部材）
２１  タンク外筒部
２２  タンク内筒部
２３  フランジ部
２４  フランジ突状部
２５  逆止弁
２６  ブローピン先端受け部
３０  ブロー成形金型
３２  チューブ取付部材嵌合部（インサート嵌合部）
【図１】
2016117259.tif 000003
【図２】
2016117259.tif 000004
【図３】
2016117259.tif 000005
【図４】
2016117259.tif 000006
【図５】
2016117259.tif 000007
【図６】
2016117259.tif 000008
【図７】
2016117259.tif 000009
【図８】
2016117259.tif 000010
【図９】
2016117259.tif 000011
【図１０】
2016117259.tif 000012
【図１１】
2016117259.tif 000013
【図１２】
2016117259.tif 000014
【図１３】
2016117259.tif 000015
【図１４】
2016117259.tif 000016
【図１５】
2016117259.tif 000017